(57)【特許請求の範囲】
【請求項１】
便器と、温水洗浄装置又は暖房装置を付設した便座と、上記温水洗浄装置又は暖房装置を水平方向に対し傾けることなく昇降させる昇降手段とよりなり、便座を昇降手段を介して便器に接続する便座昇降装置であって、上記昇降手段が、スライド用ガイド差込穴及びロックレバー固定穴を有し前記便器に固定される取付けベースと、温水洗浄装置又は暖房装置を付設した前記便座に設けられ、上記取付けベースのロックレバー固定穴に対応するロックレバーを備え、温水洗浄装置又は暖房装置を付設した便座と前記取付けベースとをスライド用ガイド差込穴に対応するスライド用ガイドにて連結する便座昇降装置。
【請求項２】
スライド用ガイド差込穴が、取付けベースの左右両側面に各々複数設けられ、この両側面内側に、スライド用ガイド脱落防止ツメを有した内カバーを固定する請求項１記載の便座昇降装置。
【発明の詳細な説明】
【０００１】
【産業上の利用分野】
本発明は、便器に取り付けられる便座の便座昇降装置に関する。
【０００２】
【従来の技術】
従来、温水又は水にて局部を洗浄する温水洗浄装置や、冬期に不快感を与えないよう便座を温める暖房装置を取り付けた便座（以下暖房便座という）を使用する際には、取付けボルト等を使用し便座を便器に緊結しており、簡単に着脱することが不可能であった。そのため、便座と便器の間を清掃することができず、汚れが不快な臭いの原因となっていた。
【０００３】
そこで近年においては、上記問題点を解決すべく便座と便器を簡単に着脱できる製品や、着脱できるうえに便器と便座をワイヤーによって結び便座の落下防止をする製品が開発されるようになってきた。
【０００４】
【発明が解決しようとする課題】
しかし、簡単に着脱できるものは清掃の際に落下させてしまう危険性があり、取外し後の置場所を要するという問題点がある。一方、落下防止のワイヤーを用いたものは、落下させる危険性がないものの温水洗浄装置又は暖房便座を傾ける難点がある。
【０００５】
特に温水洗浄装置には、精密部品が多く組み込まれ衝撃や傾きは好ましい状態ではない。場合によっては加熱装置が作動し、からだきとなる可能性もある。また、前記温水洗浄装置には、給水するための連結管が接続されており移動距離が大きい場合には連結管を破損する危険性もある。
【０００６】
本発明は、上記問題点を鑑み、便器と便座を簡単に分離でき、置場所も取らず、便座に付設されている温水洗浄装置を傾けることなく移動させ、給水用接続管に負担の少ない便座昇降装置である。
【０００７】
【課題を解決するための手段】
本発明の便座昇降装置は、便器と、温水洗浄装置又は暖房装置を付設した便座と、前記温水洗浄装置又は暖房装置を水平方向に対し傾けることなく昇降させる昇降手段とよりなり、便座を昇降手段を介して便器に接続することを特徴としている。
【０００８】
ここでいう昇降手段とは、リンク機構を使用したもの及び取付けベースを使用したもの等を意味する。
【０００９】
リンク機構を使用した便座昇降装置は、プレートの一箇所又は複数箇所に対向する２面が平行のまま回転自在であるヒンジを有したリンク機構を有している。便器取付けボルト用穴は、便座取付け位置を微調整できるように長穴となっているものが好ましい。また、便器取付けボルト用穴の位置は、リンク機構変形時にも塞がらない位置にあることが取付ける上では好ましい。
【００１０】
取付けベースを使用した便座昇降装置は、左右側面にスライド用ガイド差し込み穴を有している必要がある。温水洗浄装置等を付設した便座は、前記スライド用ガイド差し込み穴をスライドして上方へ移動させる。スライド用ガイド差し込み穴の形状は、直線的なものでも可能ではあるが安全のためＪ形状のものが好ましい。便座を一旦上方に移動させた後、前後どちらかに平行移動させロックレバーによって固定する。
【００１１】
【作用】
リンク機構を有した便座昇降装置は、対向する２面が平行のまま回転するため上部の温水洗浄装置等を水平方向に対して傾けることがない。また、取付けベースを使用した便座昇降装置でも、温水洗浄装置等はスライド用ガイド差し込み穴に沿って上方へ移動するため水平方向に対し傾けることがない。
【００１２】
【実施例】
以下、図面に沿って説明する。
図１はリンク機構６を両側に有したプレート２であり、便器取付けボルト用穴４をリンク機構６の内側に設けている。便器取付けボルト用穴４は、長穴にしてあり便座に取り付ける際前後の微調整が可能となっている。さらに、リンク機構６の変形時にも穴が塞がらないため取付け作業が簡単に行なえる。リンク機構６は、プレート２の端部を１辺として用い、該１辺と対向するリンク機構の上辺部７、それらを結合するための対向する側辺からなり、夫々をリンク機構のヒンジ５によって連結させている。リンク機構６自体は、図３に示すように平行四辺形を崩すことなく変形し、リンク機構の上辺部７が水平方向に対して傾きを持つことがなく、上下に移動する。
引っ掛け部１１、レバー１２、バネ１３は、リンク機構６を任意の位置で固定する固定装置の１実施例である。より詳細な図７を用いて説明すれば、プレート２に引っ掛け部１１を有するレバー１２をバネ１３を介してスライド可能な状態で装着し、前記引っ掛け部１１と便座側に設けられた引っ掛け部１４が嵌合することによりリンク機構６の回転が防止される。尚、スライド可能なレバー１２は、便座に取り付けられるものであってもかまわない。
【００１３】
図２はリンク機構６をプレート２中央部に設けた例であり、便器取付けボルト用穴４をリンク機構６の外側に設けてある。その他は図１と同様となる。
【００１４】
図４は、組立図である。便器９に昇降装置１を便器取付けボルト３によって固定し、リンク機構の上辺部７と温水洗浄装置を付設した便座８を接合する。この接合は、ボルトや接着など手段を選ばない。
【００１５】
図５は、リンク機構６の変形により温水洗浄装置を付設した便座８が上昇した状態を示す。この図から明らかなように、便座８に付設されている温水洗浄装置は、上昇した状態においても水平方向に対して傾きを有しない。便座８と便器９の接続部の清掃はこの状態において行なわれる。
【００１６】
図６は、便器取付けボルト用穴４の位置が温水洗浄装置を付設した便座８よりも外側にある場合の取付け側面図を示している。温水洗浄装置を付設した便座８をリンク機構の上辺部７に接合した状態で、便器取付けボルト用穴４が前記便座８より外側に出ている場合には、便座８上面から簡単に接続作業が行なえる
【００１７】
図８以降の図は取付けベースを使用した便座昇降装置を示す。
図８は、取付けベース１５斜視図及び右側面図である。取付けベース１５の両端部には側面板１６が設けられ、該側面板１６にはスライド用ガイド差し込み穴１７及びロックレバー固定穴１８が設けられている。尚、左右の側面板１６どうしは、必ずしも対称形である必要はない。スライド用ガイド差し込み穴１７は、側面板１６に２ヵ所づつ設け安定感を増している。穴の形状は、直線状でも問題ないが安全上の理由からＪ字状にしてあり、温水洗浄装置を付設した便座８は、スライド用ガイド差し込み穴１７に沿って持ち上げれ、手前に引いて固定される。そのため、仮にロックレバー２０がロックレバー固定穴１８から外れた場合でも温水洗浄装置を付設した便座８が落下しないようになっている。更に本実施例では、その他に内カバー差し込み用切欠１９を設けている。
【００１８】
図９は、取付けベース１５を含む便座昇降装置の組立図を示している。取付けベース１５は、便器取付けボルト３によって便器９に固定される。温水洗浄装置を付設した便座８は、スライド用ガイド２３により取付けベース１５に連結される。内カバー２１は、内カバー固定ビス２２によって取付けベースに取付けられ、スライド用ガイド２３がスライド用ガイド差し込み穴１７から抜けないように、スライド用ガイド脱落防止ツメ２５によって保持している。図１０ＡＢは、図８のＡ−Ａ、Ｂ−Ｂ断面図であり、Ａは通常使用状態を表し、Ｂは上昇時の状態を示している。図１０が示すように、温水洗浄装置を付設した便座８は、スライド用ガイド２３によって上下に昇降し、温水洗浄装置を傾けることがない。
【００１９】
図１１Ａは、通常状態での右側面図を、Ｂは、リフトアップさせた状態での右側面図を示す。便器９と温水洗浄装置を付設した便座８との間を図１１Ｂの状態において清掃する。前述したように、本実施例ではスライド用ガイド差し込み穴１７をＪ字状にしているため、図１１Ａでは側面板１６と接続板２４の鉛直方向の線が重なっているが、図１１Ｂでは便座を前方に動かして固定しているため側面板１６と接続板２４の鉛直方向の線がずれている。図１２は、リフトアップさせた状態での右側面拡大図である。
【００２０】
図１３は、図８でのＣ−Ｃ断面図である。ロックレバー２０は、通常ロックした状態を維持し、温水洗浄装置を付設した便座８を昇降させる時のみロック解除の状態となる。温水洗浄装置を付設した便座８をリフトアップさせるには、左右の接続板２４に設けられたロックレバー２０を解除し、手動によって持ち上げる。最上部まで持ち上げた後、手前に引き所定の位置に達することによりロックレバー固定穴１８にロックレバー２０が合致する。従って清掃者は、ロックレバー２０が完全に合致したことによりリフトアップ完了を理解でき、安全に清掃を済ませることが可能である。
【００２１】
【発明の効果】
以上に説明してきたように、本発明には以下のような効果がある。
１．便座に付設した温水洗浄装置又は暖房便座を水平方向に対し傾けることなくリフトアップさせることが可能である。
２．温水洗浄装置を付設した便座は、移動距離が短く、定まった動きしかしないために連結管に対し負荷が少ない。暖房便座であれば、電気コードへの負荷が少なくなる。
３．リンク機構を用いる方式、取付けベースを用いる方式どちらの方法でもリフトアップ状態でのロックが可能であるため、片手で押さえる必要がなく安全に清掃が行なえる。
４．リンク機構を用いる方式では、便器取り付けボルト用穴を、温水洗浄装置を付設した便器の取付け位置より外側に設けることにより取付け作業が容易に行なえる。
【図面の簡単な説明】
【図１】本発明のリンク機構を用いたプレートの一実施例を示す斜視図である。
【図２】本発明のリンク機構を用いたプレートの他の実施例を示す斜視図である。
【図３】本発明のリンク機構の変形状態を示す側面図である。
【図４】本発明のリンク機構を用いた便座昇降装置の組立図である。
【図５】本発明のリンク機構を用いた便座昇降装置のリフトアップ状態を示す右側面図である。
【図６】本発明のプレート取り付けを示す右側面図である。
【図７】本発明のリンク機構の便座昇降装置に用いる固定装置の断面図である。
【図８】本発明の取付けベース斜視図及び側面板の右側面図である。
【図９】本発明の取付けベースを用いた便座昇降装置の組立図である。
【図１０】図８におけるＡ−Ａ及びＢ−Ｂ断面図である。
【図１１】本発明の取付けベースを用いた便座昇降装置の通常使用状態とリフトアップ状態を示す右側面図である。
【図１２】本発明の取付けベースを用いた便座昇降装置のリフトアップ状態を示す右要部拡大側面図である。
【図１３】図８におけるＣ−Ｃ断面図である。
【符号の説明】
１．昇降装置    ２．プレート    ３．便器取付けボルト    ４．便器取付けボルト用穴    ５．リンク機構のヒンジ    ６．リンク機構    ７．リンク機構の上辺部    ８．温水洗浄装置を付設した便座    ９．便器    １０．便器と便座との隙間    １１．引っ掛け部    １２．レバー    １３．バネ    １４．引っ掛け部    １５．取付けベース    １６．側面板    １７．スライド用ガイド差し込み穴    １８．ロックレバー固定穴    １９．内カバー差し込み用切欠
２０．ロックレバー    ２１．内カバー    ２２．内カバー固定ビス    ２３．スライド用ガイド    ２４．接続板    ２５．スライド用ガイド脱落防止ツメ
【図１】
0003552067.tif 000002
【図２】
0003552067.tif 000003
【図３】
0003552067.tif 000004
【図４】
0003552067.tif 000005
【図５】
0003552067.tif 000006
【図６】
0003552067.tif 000007
【図７】
0003552067.tif 000008
【図８】
0003552067.tif 000009
【図９】
0003552067.tif 000010
【図１０】
0003552067.tif 000011
【図１１】
0003552067.tif 000012
【図１２】
0003552067.tif 000013
【図１３】
0003552067.tif 000014